(57)【要約】  【課題】十分な防火防煙性能を得ることができる防火防煙シャッターを提供する。  【解決手段】防火防煙シャッター１は、重合端部16を有する第１の耐火性シート15と、重合端部26を有する第２の耐火性シート25とを備える。防火防煙シャッター１は、複数箇所に間隔をおいて配設し、両耐火性シート15，25の重合端部16，26をこれら重合端部16，26同士が直接接触して重なり合うように連結する複数の連結体31を備える。  【選択図】図１
2006037352.tif 000002
【特許請求の範囲】
【請求項１】
重合端部を有する第１の耐火性シートと、
この第１の耐火性シートの前記重合端部と重なり合う重合端部を有する第２の耐火性シートと、
複数箇所に間隔をおいて配設され、前記第１の耐火性シートの前記重合端部と前記第２の耐火性シートの前記重合端部とをこれら重合端部同士が直接接触して重なり合うように連結する複数の連結体と
を備えることを特徴とする防火防煙シャッター。
【請求項２】
第１の耐火性シートおよび第２の耐火性シートを巻戻し可能に巻き取る巻取手段を備える
ことを特徴とする請求項１記載の防火防煙シャッター。
【請求項３】
複数の連結体を覆い隠す耐火性カバーシート手段を備える
ことを特徴とする請求項１または２記載の防火防煙シャッター。
【請求項４】
耐火性カバーシート手段は、
第１の耐火性シートに設けられ、複数の連結体の一方側の露出部分を覆い隠す第１の耐火性カバーシートと、
第２の耐火性シートに設けられ、前記複数の連結体の他方側の露出部分を覆い隠す第２の耐火性カバーシートとを有する
ことを特徴とする請求項３記載の防火防煙シャッター。
【発明の詳細な説明】
【技術分野】
【０００１】
本発明は、十分な防火防煙性能を得ることができる防火防煙シャッターに関するものである。
【背景技術】
【０００２】
従来、例えば側端部表面に雄型面ファスナー部を有し第１の巻取体からの巻戻しにより開口部に沿って移動して開口部の第１開口部分を閉鎖する第１の耐火性シートと、側端部裏面に第１の耐火性シートの雄型面ファスナー部と係合する雌型面ファスナー部を有し第２の巻取体からの巻戻しにより開口部に沿って移動して開口部の第２開口部分を閉鎖する第２の耐火性シートとを備えた防火防煙シャッターが知られている（例えば、特許文献１参照）。
【特許文献１】特開２０００−６４７４４号公報（図２）
【発明の開示】
【発明が解決しようとする課題】
【０００３】
しかしながら、上記従来の防火防煙シャッターでは、隣合う耐火性シートの側端部同士が直接接触して重なり合う構成とはなっていないため、隣合う耐火性シートの連結部分から炎や煙等が漏れるおそれがあり、十分な防火防煙性能が得られないおそれがある。
【０００４】
なお、互いに係合する雄型面ファスナー部および雌型面ファスナー部によって隣合う耐火性シートの側端部同士をその側端部の全長にわたって連続的に連結する構成であるため、耐火性シートの連続的な連結部分が巻き取りにくくなるとともに、連結部分の巻径が大きくなるおそれもある。
【０００５】
本発明は、このような点に鑑みなされたもので、十分な防火防煙性能を得ることができる防火防煙シャッターを提供することを目的とする。
【課題を解決するための手段】
【０００６】
請求項１記載の防火防煙シャッターは、重合端部を有する第１の耐火性シートと、この第１の耐火性シートの前記重合端部と重なり合う重合端部を有する第２の耐火性シートと、複数箇所に間隔をおいて配設され、前記第１の耐火性シートの前記重合端部と前記第２の耐火性シートの前記重合端部とをこれら重合端部同士が直接接触して重なり合うように連結する複数の連結体とを備えるものである。
【０００７】
そして、複数の連結体が第１の耐火性シートの重合端部と第２の耐火性シートの重合端部とをこれら重合端部同士が直接接触して重なり合うように連結するため、十分な防火防煙性能が得られる。
【０００８】
請求項２記載の防火防煙シャッターは、請求項１記載の防火防煙シャッターにおいて、第１の耐火性シートおよび第２の耐火性シートを巻戻し可能に巻き取る巻取手段を備えるものである。
【０００９】
そして、第１の耐火性シートおよび第２の耐火性シートを巻取手段にて容易に巻き取ることが可能であるとともに、第１の耐火性シートと第２の耐火性シートとの連結部分の巻径の増大化を抑制可能である。
【００１０】
請求項３記載の防火防煙シャッターは、請求項１または２記載の防火防煙シャッターにおいて、複数の連結体を覆い隠す耐火性カバーシート手段を備えるものである。
【００１１】
そして、耐火性カバーシート手段にて複数の連結体を覆い隠すことで、防火防煙性能の向上を図ることが可能である。
【００１２】
請求項４記載の防火防煙シャッターは、請求項３記載の防火防煙シャッターにおいて、耐火性カバーシート手段は、第１の耐火性シートに設けられ、複数の連結体の一方側の露出部分を覆い隠す第１の耐火性カバーシートと、第２の耐火性シートに設けられ、前記複数の連結体の他方側の露出部分を覆い隠す第２の耐火性カバーシートとを有するものである。
【００１３】
そして、第１の耐火性カバーシートにて複数の連結体の一方側の露出部分を覆い隠すとともに第２の耐火性カバーシートにて複数の連結体の他方側の露出部分を覆い隠すことで、防火防煙性能の向上を図ることが可能である。
【発明の効果】
【００１４】
請求項１に係る発明によれば、複数の連結体が第１の耐火性シートの重合端部と第２の耐火性シートの重合端部とをこれら重合端部同士が直接接触して重なり合うように連結するため、十分な防火防煙性能を得ることができる。
【００１５】
請求項２に係る発明によれば、第１の耐火性シートおよび第２の耐火性シートを巻取手段にて容易に巻き取ることができるとともに、第１の耐火性シートと第２の耐火性シートとの連結部分の巻径の増大化を抑制できる。
【００１６】
請求項３に係る発明によれば、耐火性カバーシート手段にて複数の連結体を覆い隠すことで、防火防煙性能の向上を図ることができる。
【００１７】
請求項４に係る発明によれば、第１の耐火性カバーシートにて複数の連結体の一方側の露出部分を覆い隠すとともに第２の耐火性カバーシートにて複数の連結体の他方側の露出部分を覆い隠すことで、防火防煙性能の向上を図ることができる。
【発明を実施するための最良の形態】
【００１８】
本発明の防火防煙シャッターの一実施の形態を図面を参照して説明する。
【００１９】
図１において、１は防火防煙シャッターで、この防火防煙シャッター１は、例えば火災時に建築構造物の通路等の開口部２を閉鎖して延焼および煙の拡散を防止するものである。
【００２０】
防火防煙シャッター１は、開口部２の大きさに拘わらず施工現場で容易に取付けや取扱いができるよう工場でユニット化された複数のシャッターユニット（分割ユニット）、例えば第１シャッターユニット４および第２シャッターユニット５が施工現場で連結されて一体化されたもので、火災時にはシャッターカーテン部６がその下端部に設けられた重錘部（座板）７の自重により左右一対のガイドレール部８にて案内されつつその重錘部７が床面等の被当接部９に当接するまで下降して開口部２を閉鎖する。
【００２１】
ここで、第１シャッターユニット４は、図１に示されるように、第１のシャッター収納部11を備え、この第１のシャッター収納部11内には連結軸部12を有する第１の巻取体13が左右方向の回転中心軸線を中心として回転可能に配設されている。
【００２２】
また、第１シャッターユニット４は、第１の巻取体13にて巻戻し可能に巻き取られ、この第１の巻取体13からの巻戻しにより開口部２の第１開口部分2aに沿って下方（閉移動方向）に移動して開口部２の第１開口部分2aを閉鎖する第１の耐火性シート15を備えている。
【００２３】
第１の耐火性シート15は、第１開口部分2aの閉鎖時に上下方向（開移動方向および閉移動方向）に沿って位置する一側端部、例えば正面視右端部に重合端部16を有し、他側端部、例えば正面視左端部にガイドレール部８内に位置する挿入端部17を有している。
【００２４】
第２シャッターユニット５は、第２のシャッター収納部21を備え、この第２のシャッター収納部21内には連結軸部22を有する第２の巻取体23が左右方向の回転中心軸線を中心として回転可能に配設されている。そして、第１の巻取体13の連結軸部12と第２の巻取体23の連結軸部22とが軸連結体24にて連結されている。
【００２５】
また、第２シャッターユニット５は、第２の巻取体23にて巻戻し可能に巻き取られ、この第２の巻取体23からの巻戻しにより開口部２の第２開口部分2bに沿って下方（閉移動方向）に移動して開口部２の第２開口部分2bを閉鎖する第２の耐火性シート25を備えている。
【００２６】
第２の耐火性シート25は、第２開口部分2bの閉鎖時に上下方向（開移動方向および閉移動方向）に沿って位置する一側端部、例えば正面視左端部に第１の耐火性シート15の重合端部16と面状に直接接触して重なり合う重合端部26を有し、他側端部、例えば正面視右端部にガイドレール部８内に位置する挿入端部27を有している。
【００２７】
そして、図１および図２に示されるように、耐火性シート15，25の重合部分の複数箇所に等間隔をおいて上下方向に直線状に並んで位置するように配設された複数の連結体31にて第１の耐火性シート15の重合端部16と第２の耐火性シート25の重合端部26とが部分的に連結され、これら重合端部16，26同士が面状に直接接触して重なり合っている。すなわち、第１の耐火性シート15の重合端部16の表面と第２の耐火性シート25の重合端部26の裏面とが面状に直接接触して重合した状態で、これら重合端部16，26同士が複数の連結体31にて連結固定されている。
【００２８】
各連結体31は、例えば耐火性シート15，25に形成された孔部15a，25aに通すボルト32と、このボルト32の軸部32aに螺合するナット33と、２つの座金34，35とにて構成されている。なお、耐火性シート15，25の孔部15a，25aは、工場で予め形成しておいてもよく、施工現場で耐火性シート15，25の連結作業時に形成するようにしてもよい。またボルト32の頭部32bおよびナット33は厚さの薄い板状のものが好ましい。
【００２９】
また、第１の耐火性シート15の重合端部16付近の表面側には帯状の第１の耐火性カバーシート41が縫い付けられ、この第１の耐火性カバーシート41にて複数の連結体31の一方側の露出部分全体つまり重合端部26の表面から突出したボルト32の頭部32bと一方の座金34とが重合端部26の表面とともに覆い隠されている。すなわち、第１の耐火性カバーシート41の幅方向一端部が第１の耐火性シート15の重合端部16付近の表面側に縫製糸（ステンレス製の糸等）42にて縫い付けられ、第１の耐火性カバーシート41の幅方向他端部が自由端部43となって第２の耐火性シート25の重合端部26付近に位置する。なお、第１の耐火性カバーシート41は、第１の耐火性シート15に対して工場で予め縫い付けておく。
【００３０】
さらに、第２の耐火性シート25の重合端部26付近の裏面側には帯状の第２の耐火性カバーシート44が縫い付けられ、この第２の耐火性カバーシート44にて複数の連結体31の他方側の露出部分全体つまり重合端部16の裏面から突出したナット33と他方の座金35とが重合端部16の裏面とともに覆い隠されている。すなわち、第２の耐火性カバーシート44の幅方向一端部が第２の耐火性シート25の重合端部26付近の裏面側に縫製糸（ステンレス製の糸等）45にて縫い付けられ、第２の耐火性カバーシート44の幅方向他端部が自由端部46となって第１の耐火性シート15の重合端部16付近に位置する。なお、第２の耐火性カバーシート44は、第２の耐火性シート25に対して工場で予め縫い付けておく。
【００３１】
なお、耐火性シート15，25および耐火性カバーシート41，44は、１枚の耐火性布地（ガラスクロス、シリカクロス等）にて構成されたものでもよく、縫製糸（ポリアミド製の糸、ステンレス製の糸等）にて連結された複数枚の耐火性布地（ガラスクロス、シリカクロス等）にて構成されたものでもよい。
【００３２】
また、開口部２を開閉するシャッターカーテン部６は、耐火性シート15，25および耐火性カバーシート41，44にて構成されている。さらに、複数の連結体31を覆い隠す耐火性カバーシート手段48は第１の耐火性カバーシート41および第２の耐火性カバーシート44にて構成され、第１の耐火性シート15および第２の耐火性シート25を巻戻し可能に巻き取る巻取手段49は第１の巻取体13および第２の巻取体23にて構成されている。
【００３３】
次に、上記防火防煙シャッター１のシャッターユニット４，５の連結作業について説明する。
【００３４】
シャッターユニット４，５を施工現場に搬入し、それらシャッターユニット４，５のシャッター収納部11，21を建築構造物の所定箇所にそれぞれ固定し、その後、第１の巻取体13と第２の巻取体23との連結および第１の耐火性シート15と第２の耐火性シート25との連結等を行う。
【００３５】
第１の耐火性シート15と第２の耐火性シート25との連結については、第１の耐火性シート15を第１の巻取体13から巻き戻すとともに第２の耐火性シート25を第２の巻取体23から巻き戻し、これら両耐火性シート15，25の重合端部16，26同士を互いに面状に直接接触させた状態にしてから、複数の連結体31にてそれら両耐火性シート15，25の重合端部16，26同士を連結する。
【００３６】
例えば耐火性カバーシート41，44を邪魔にならないよう折り曲げた状態で、耐火性シート15，25の前方側からボルト32の軸部32aを耐火性シート15，25の孔部15a，25aに通し、耐火性シート15，25の後方側からそのボルト32の軸部32aにナット33を螺合して、２つの座金34，35に耐火性シート15，25の重合端部16，26同士を挟持させる。
【００３７】
そして、上記防火防煙シャッター１によれば、複数の連結体31が第１の耐火性シート15の重合端部16と第２の耐火性シート25の重合端部26とをこれら重合端部16，26同士が直接接触して重なり合うように連結するため、火災時には熱風等による風圧を受けて密着した状態で重なり合った重合端部16，26間から炎や煙等が漏れくく、十分な防火防煙性能を得ることができる。
【００３８】
また、複数の連結体31にて隣合う耐火性シート15，25の重合端部16，26を部分的に間隔をおいて連結するため、面ファスナー部にて隣合う耐火性シートの側端部同士をその側端部の全長にわたって連続的に連結する従来の場合に比べて、第１の耐火性シート15および第２の耐火性シート25を容易に巻き取ることができるとともに、第１の耐火性シート15と第２の耐火性シート25との連結部分の巻径の増大化を抑制できる。
【００３９】
さらに、面ファスナー部による連結の場合には、開口部の大きさに応じた所定長さの面ファスナー部を用意しなければならないことから施工現場での開口部の大きさの変更に対応しにくく、また不本意な面ファスナー部の係合解除により耐火性シートの連結が解かれるおそれがあるのに対し、ボルト32およびナット33等からなる複数の連結体31による連結の場合には、そのようなおそれがなく、施工現場での開口部の大きさの変更に容易に対応できるとともに、耐火性シート15，25の連結状態を適切に維持できる。
【００４０】
また、第１の耐火性カバーシート41にて複数の連結体31の一方側の露出部分を第２の耐火性シート25の重合端部26とともに覆い隠し、かつ、第２の耐火性カバーシート44にて複数の連結体31の他方側の露出部分を第１の耐火性シート15の重合端部16とともに覆い隠すため、重合端部16，26間から炎や煙等の漏れを効果的に防止でき、より一層十分な防火防煙性能を得ることができる。
【００４１】
なお、防火防煙シャッター１は、連結体31で重合端部同士を連結する耐火性シートを２枚だけ備えた構成のものには限定されず、例えば連結体31で重合端部同士を連結する耐火性シートを３枚或いは４枚以上備えた構成のものでもよい。すなわち防火防煙シャッター１は、２つのシャッターユニット４，５を連結体31等で連結して一体化し連結体31を耐火性カバーシート41，44で覆い隠した構成のものには限定されず、シャッターユニットの数は開口部２の大きさ等に応じて決められ、例えば図３に示すように、開口部２の幅寸法が約２０ｍの場合には、７つのシャッターユニット50を隣合うもの同士を連結体31等で連結して一体化し連結体31を耐火性カバーシート41，44で覆い隠すようにしてもよい。
【００４２】
また、複数の連結体31が開口部２の閉鎖時に上下方向に直線状に並んで位置する構成には限定されず、例えば複数の連結体31が開口部２の閉鎖時にジグザグ状に位置するような構成等でもよい。
【００４３】
さらに、例えば施工現場での連結作業の容易化のため、ナット33を第１の耐火性シート15の重合端部16または第２の耐火性シート25の重合端部26に工場で予め取り付けておくようにしてもよい。この場合、例えば片側面からのみの連結作業が可能となり、作業性が向上する。
【００４４】
また、連結体31は、ボルト32およびナット33を有するねじ式のものには限定されず、例えばボタンおよびボタン孔を有するボタン式のものや、リベット式のもの等でもよい。
【００４５】
さらに、耐火性カバーシート手段48は、耐火性シートに対して予め工場で縫い付けるものには限定されず、例えば耐火性シートとは別体として施工現場に搬入して施工現場においてボタン等の留め手段によって耐火性シートに対して留めるようなもの等でもよい。
【００４６】
また、例えば第１の耐火性カバーシート41のバタツキや裏返り等の防止のために第１の耐火性カバーシート41の自由端部43をボタン等の留め手段によって第２の耐火性シート25の重合端部26付近に留めたり、第２の耐火性カバーシート44のバタツキや裏返り等の防止のために、第２の耐火性カバーシート44の自由端部46をボタン等の留め手段によって第１の耐火性シート15の重合端部16付近に留めたりしてもよい。
【図面の簡単な説明】
【００４７】
【図１】本発明の防火防煙シャッターの一実施の形態を示す正面図である。
【図２】図１におけるＩＩ−ＩＩ断面図である。
【図３】本発明の防火防煙シャッターの他の実施の形態を示す正面図である。
【符号の説明】
【００４８】
１    防火防煙シャッター
15    第１の耐火性シート
16    重合端部
25    第２の耐火性シート
26    重合端部
31    連結体
41    第１の耐火性カバーシート
44    第２の耐火性カバーシート
48    耐火性カバーシート手段
49    巻取手段
【図１】
2006037352.tif 000003
【図２】
2006037352.tif 000004
【図３】
2006037352.tif 000005